(57)【要約】【課題】RSS形式の記事をユーザにとって見やすく表示する。【解決手段】タイトルだけが表示されるRSS記事の一覧が表示されている状態で、それを詳細モードで表示することが指示された場合、領域２１には、RSS記事のタイトルが２行分だけ表示され、領域２３には、本文が４行分だけ表示される。また、RSS記事に含まれる画像の縦方向の画素数が所定の画素数より多い場合、縦方向の画素数を基準として、縦方向がその所定の画素数に収まるように縮小され、縮小された画像が領域２２に表示される。それぞれのRSS記事について、同じフォーマットでタイトル、画像、本文が表示される。本発明は、テレビジョン受像機、パーソナルコンピュータに適用することができる。【選択図】図３
2008165692.tif 000002
【特許請求の範囲】
【請求項１】
RSS形式の記事の情報を記録する記録手段と、
前記記録手段に情報が記録されているそれぞれの記事に含まれる画像を、縦方向の画素数を基準として所定の大きさの画像に変換する変換手段と、
記事のタイトルの一覧を表示している状態で所定の操作が行われた場合、それぞれの記事について、記事のタイトルと本文をあらかじめ定められた行数分だけ表示させるとともに、前記変換手段による変換によって得られた画像を所定の位置に表示させる表示制御手段と
を備える情報処理装置。
【請求項２】
前記表示制御手段は、それぞれの記事について、前記変換手段による変換によって得られた１つの画像を表示させる
請求項１に記載の情報処理装置。
【請求項３】
前記変換手段は、それぞれの記事に含まれる画像のうち、先頭に表示することが指示されている１つの画像を変換する
請求項１に記載の情報処理装置。
【請求項４】
前記変換手段は、それぞれの記事に含まれる、縦方向の画素数が前記所定の画素数より多い画像を、縦方向が前記所定の画素数と同じ画素数になるように縮小する
請求項１に記載の情報処理装置。
【請求項５】
RSS形式の記事の情報を記録する記録手段を備える情報処理装置の表示制御方法において、
前記記録手段に情報が記録されているそれぞれの記事に含まれる画像を、縦方向の画素数を基準として所定の大きさの画像に変換し、
記事のタイトルの一覧を表示している状態で所定の操作が行われた場合、それぞれの記事について、記事のタイトルと本文をあらかじめ定められた行数分だけ表示させるとともに、変換して得られた画像を所定の位置に表示させる
ステップを含む表示制御方法。
【請求項６】
RSS形式の記事の情報を記録する記録手段を備える情報処理装置の処理をコンピュータに実行させるプログラムにおいて、
前記記録手段に情報が記録されているそれぞれの記事に含まれる画像を、縦方向の画素数を基準として所定の大きさの画像に変換し、
記事のタイトルの一覧を表示している状態で所定の操作が行われた場合、それぞれの記事について、記事のタイトルと本文をあらかじめ定められた行数分だけ表示させるとともに、変換して得られた画像を所定の位置に表示させる
ステップを含むプログラム。
【発明の詳細な説明】
【技術分野】
【０００１】
本発明は、情報処理装置、表示制御方法、およびプログラムに関し、特に、RSS(Resource Description Framework Site Summary)形式の記事の一覧をユーザにとって見やすく表示することができるようにした情報処理装置、表示制御方法、およびプログラムに関する。
【背景技術】
【０００２】
近年、RSS形式の記事の情報を配信するWebサイトが増えてきている。ユーザは、記事の配信元を登録しておけば、Webサイトに掲載される内容が更新されたときに配信される記事を確認し、更新直後にWebサイトを閲覧することができる。
【０００３】
特許文献１には、関連する記事をまとめ、１つの話題に関する記事としてユーザに提示する技術が開示されている。
【特許文献１】特開２００６−２６８２０１号公報
【発明の開示】
【発明が解決しようとする課題】
【０００４】
登録する配信元の数が増えてくると、配信される多くの記事をどの様にしてユーザに提示するかが問題になる。例えば、同じ配信元から配信される記事であっても、記事によっては、１つの画像だけが含まれることもあるし、複数の画像が含まれることもあり、記事の一覧などにおいて、それらをそのまま表示したのでは見栄えが悪いだけでなく、ユーザにとって見にくくなる。
【０００５】
本発明はこのような状況に鑑みてなされたものであり、RSS形式の記事の一覧をユーザにとって見やすく表示することができるようにするものである。
【課題を解決するための手段】
【０００６】
本発明の一側面の情報処理装置は、RSS形式の記事の情報を記録する記録手段と、前記記録手段に情報が記録されているそれぞれの記事に含まれる画像を、縦方向の画素数を基準として所定の大きさの画像に変換する変換手段と、記事のタイトルの一覧を表示している状態で所定の操作が行われた場合、それぞれの記事について、記事のタイトルと本文をあらかじめ定められた行数分だけ表示させるとともに、前記変換手段による変換によって得られた画像を所定の位置に表示させる表示制御手段とを備える。
【０００７】
前記表示制御手段には、それぞれの記事について、前記変換手段による変換によって得られた１つの画像を表示させることができる。
【０００８】
前記変換手段には、それぞれの記事に含まれる画像のうち、先頭に表示することが指示されている１つの画像を変換させることができる。
【０００９】
前記変換手段には、それぞれの記事に含まれる、縦方向の画素数が前記所定の画素数より多い画像を、縦方向が前記所定の画素数と同じ画素数になるように縮小させることができる。
【００１０】
本発明の一側面の表示制御方法またはプログラムは、記録手段に情報が記録されているそれぞれの記事に含まれる画像を、縦方向の画素数を基準として所定の大きさの画像に変換し、記事のタイトルの一覧を表示している状態で所定の操作が行われた場合、それぞれの記事について、記事のタイトルと本文をあらかじめ定められた行数分だけ表示させるとともに、変換して得られた画像を所定の位置に表示させるステップを含む。
【００１１】
本発明の一側面においては、記録手段に情報が記録されているそれぞれの記事に含まれる画像が、縦方向の画素数を基準として所定の大きさの画像に変換される。記事のタイトルの一覧が表示されている状態で所定の操作が行われた場合、それぞれの記事について、記事のタイトルと本文があらかじめ定められた行数分だけ表示されるとともに、変換されることによって得られた画像が所定の位置に表示される。
【発明の効果】
【００１２】
本発明の一側面によれば、RSS形式の記事の一覧をユーザにとって見やすく表示することができる。
【発明を実施するための最良の形態】
【００１３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１４】
本発明の一側面の情報処理装置（例えば、図１の情報処理装置１）は、RSS形式の記事の情報を記録する記録手段（例えば、図４のハードディスク３８）と、前記記録手段に情報が記録されているそれぞれの記事に含まれる画像を、縦方向の画素数を基準として所定の大きさの画像に変換する変換手段（例えば、図５のフォーマット変換部５２）と、記事のタイトルの一覧を表示している状態で所定の操作が行われた場合、それぞれの記事について、記事のタイトルと本文をあらかじめ定められた行数分だけ表示させるとともに、前記変換手段による変換によって得られた画像を所定の位置に表示させる表示制御手段（例えば、図５の表示制御部５３）とを備える。
【００１５】
本発明の一側面の表示制御方法またはプログラムは、記録手段に情報が記録されているそれぞれの記事に含まれる画像を、縦方向の画素数を基準として所定の大きさの画像に変換し、記事のタイトルの一覧を表示している状態で所定の操作が行われた場合、それぞれの記事について、記事のタイトルと本文をあらかじめ定められた行数分だけ表示させるとともに、変換して得られた画像を所定の位置に表示させるステップ（例えば、図６のステップＳ４）を含む。
【００１６】
以下、本発明の実施の形態について図を参照して説明する。
【００１７】
図１は、本発明の一実施形態に係る情報処理装置１の例を示す図である。
【００１８】
図１に示されるように、情報処理装置１はテレビジョン受像機である。情報処理装置１はWindows（登録商標） Vista（商標）などのOS(Operating System)を搭載し、パーソナルコンピュータとしての機能をも有する。
【００１９】
情報処理装置１はネットワークに接続されており、ユーザがあらかじめ登録しておいた新聞社のサイトや各種のポータルサイトから配信されるRSS形式の記事の情報を受信し、受信した情報に基づいて、Webサイトに掲載されるニュースや解説などの元の情報の概要をディスプレイに表示する機能を有する。すなわち、情報処理装置１はRSS形式の記事の情報を読み取るRSSリーダを搭載している。以下、適宜、RSS形式の記事をRSS記事という。
【００２０】
RSSは、タイトル（見出し）やハイパーリンク、画像、本文などをXML(eXtensible Markup Language)で記述し、Webサイトに掲載される元の情報の概要を表すものとして用いられるデータ形式である。RSS記事の配信を受ける機器は、ユーザによって登録された配信サイトに所定の周期でアクセスし、元の情報の内容が更新されたときに取得されるRSS記事をユーザに提示して、更新された元の情報の概要を確認させる。概要だけでなく、更新された元の情報を表示することが指示されたとき、RSS記事にリンク先として含まれるURL(Uniform Resource Locator)に基づいて機器によりアクセスが行われ、元の情報（Webサイト）が表示される。
【００２１】
配信サイトから取得されたRSS記事は情報処理装置１のハードディスクなどに順次記録される。ユーザがリモートコントローラ２を用いて所定の操作を行ったとき、情報処理装置１のディスプレイには、ハードディスクに記録されている情報に基づいて、RSS記事の一覧が表示される。
【００２２】
図２は、RSS記事の一覧の例を示す図である。
【００２３】
図２に示されるように、RSS記事の一覧が表示される画面は、主に、配信サイト一覧表示部１１とRSS記事表示部１２から構成される。配信サイト一覧表示部１１とRSS記事表示部１２の下には、リモートコントローラ２に設けられるボタンに割り当てられた機能の説明が示されている。
【００２４】
図２の例においては、リモートコントローラ２に設けられるメニューボタンは機能の一覧を表示するときに操作されるボタン、戻るボタンは直前の画面に戻るときに操作されるボタン、詳細ボタンはRSS記事を表示するときに操作されるボタンとされている。また、リモートコントローラ２に設けられる青色のボタンは上方向にスクロールするときに操作されるボタン、赤色のボタンは下方向にスクロールするときに操作されるボタン、緑色のボタンは表示を拡大縮小するときに操作されるボタン、黄色のボタンはカーソル（ポインター）の位置を切り換えるときに操作されるボタンとされている。クリアボタンはRSS記事の一覧の表示を閉じるときに操作されるボタンとされている。
【００２５】
配信サイト一覧表示部１１は、RSS記事の配信サイトの名前が一覧表示される表示欄であり、図２の例においては、配信サイトＡ乃至Ｅの５つの配信サイトの名前が示されている。配信サイトＡ乃至Ｅのうち、配信サイトＣがカーソル１１Ｃによって選択された状態になっており、ユーザは、リモートコントローラ２を用いて所定の操作を行うことによってカーソル１１Ｃを移動させ、他の配信サイトを選択した状態にすることができる。
【００２６】
RSS記事表示部１２は、配信サイト一覧表示部１１においてカーソル１１Ｃによって選択されている配信サイトから配信されたRSS記事のタイトルの一部、または表示できる場合には全体が表示される表示欄である。RSS記事表示部１２の表示は、カーソル１１Ｃによって選択される配信サイトが変更される毎に切り換えられる。
【００２７】
図２の例においては、カーソル１１Ｃによって選択されている配信サイトＣから配信されたRSS記事のタイトルの一部として、上から順に、「本日、Ｓ株式会社は、パーソナル．．．」、「１０時１５分すぎ地震が発生しま．．．」、「プロ野球速報  Ａチーム×Ｂチー．．．」、「本日の東京株式市場の終値は．．．」、「お天気ニュース  関東地方の夜．．．」、および「芸能人のＡさんとＢさんが．．．」のタイトルが表示されている。
【００２８】
ユーザは、「本日、Ｓ株式会社は、パーソナル．．．」のタイトルを選択した状態で表示されているカーソル１２Ｃを所定のタイトルの上に移動させ、リモートコントローラ２に設けられる詳細ボタンを押すなどの操作を行うことによってRSS記事を見ることができる。
【００２９】
例えば、図２の状態でRSS記事を見ることが指示された場合、「本日、Ｓ株式会社は、パーソナル．．．」のタイトルが設定されているRSS記事のタイトルの全体、本文の全体が、図２に示されるようなタイトルの一覧に代えてRSS記事表示部１２に表示される。RSS記事に画像が含まれる場合、その画像も表示される。RSS記事の情報には、RSS記事として表示するそれぞれの画像に関して、画像データを格納するファイルの他に、画像の表示位置を指定する情報が含まれており、その指定に従って画像が所定の位置に表示される。
【００３０】
RSS記事表示部１２に表示されるタイトルの右側には、RSS記事にリンク先として含まれるURLに基づいてWebサイトにアクセスし、RSS記事によって概要が表される元の情報を表示させるときに操作されるボタン１３Ａ乃至１３Ｆが表示されている。ユーザは、リモートコントローラ２を操作してカーソル１２Ｃをボタン１３Ａ乃至１３Ｆのいずれかの上に移動させ、項目を決定する所定の操作を行うことによって元の情報を表示させることができる。
【００３１】
例えば、ボタン１３Ａが操作された場合、「本日、Ｓ株式会社は、パーソナル．．．」のタイトルが設定されているRSS記事によって概要が表される元の情報を掲載するWebサイトに対してアクセスが行われ、そのWebサイトの画面がRSS記事表示部１２に表示される。
【００３２】
情報処理装置１には、RSS記事の一覧の表示モードとして、図２に示されるような簡易モードの他に詳細モードが用意されている。簡易モードで表示される一覧からは、ユーザはRSS記事のタイトルの一部しか確認することができないが、詳細モードで表示されるRSS記事の一覧からは、RSS記事の全体ではないものの、画像や本文まで確認することができるようになされている。表示モードの切り替えは、リモートコントローラ２に設けられる所定のボタンを押すことによって行われる。
【００３３】
図３は、詳細モードで表示することが指示されたときに図２の画面に代えて表示されるRSS記事の一覧の例を示す図である。
【００３４】
図３の例においては、図２の簡易モードの一覧においてカーソル１２Ｃによって選択されていたRSS記事のタイトルである「本日、Ｓ株式会社は、パーソナルコンピュータの新製品を発表しました。」が領域２１に表示され、そのタイトルの下の領域２２に画像が表示されている。また、領域２２の下の領域２３にRSS記事の本文が表示され、本文の下にボタン２４が表示されている。
【００３５】
このように、詳細モードで表示されるRSS記事の一覧には、それぞれのRSS記事について、タイトルだけでなく、画像と本文までが表示される。なお、図３において、領域２１と領域２３を示す点線は実際に表示されるものではなく、説明の便宜上示しているものである。
【００３６】
図３に示されるように、領域２１には、RSS記事のタイトルが２行分だけ表示され、領域２３には、本文が４行分だけ表示される。RSS記事のタイトルが２行で収まらない場合、タイトルの末尾は「．．．」で表され、本文が４行で収まらない場合、本文の末尾は「．．．」で表される。
【００３７】
領域２２は、４２０×３２０画素（横×縦）などの所定の大きさの領域からなる。RSS記事に含まれる画像の縦方向の画素数がそれより多い場合、縦方向の画素数を基準として、縦方向が３２０画素に収まるように縮小され、そのようにして縮小された画像が領域２２に表示される。
【００３８】
例えば、RSS記事に複数の画像が含まれる場合、RSS記事を表示するときに先頭に表示するように指定されている１つの画像だけが、必要に応じて縮小されてから領域２２に表示される。上述したように、RSS記事情報には画像の表示位置を指定する情報なども含まれており、その情報に基づいて、先頭の１つの画像が選択される。縦方向の画素数が３２０画素を超えない画像は、そのまま表示されるようにしてもよい。
【００３９】
詳細モードで表示されるRSS記事の一覧においては、他のRSS記事についても同様に、タイトルが２行分だけ表示され、その下に、RSS記事に含まれる先頭の１つの画像が、所定の大きさで表示される。また、画像の下に本文が４行分だけ表示され、その下に、元の情報を表示するときに操作されるボタンが表示される。
【００４０】
このように、あらかじめ定められた行数分だけタイトルが表示され、その下に、あらかじめ定められた大きさの画像が１つだけ表示され、その下に、あらかじめ定められた行数分だけ本文が表示されるといったように、それぞれのRSS記事について、フォーマットが整形されてから表示されるため、見栄えがよく、ユーザにとって見やすいRSS記事の一覧を表示することができる。
【００４１】
特に、マウスなどと較べて自由な操作が苦手なリモートコントローラ２を用いて操作を行う場合にはその効果が顕著になる。例えば、マウスを用いてRSS記事の一覧を見る場合、それぞれの記事がどのように表示されていても、マウスを用いた自由な操作によってそれに対応することができるが、リモートコントローラ２を用いた場合には対応することが難しいことがある。
【００４２】
図３の例においては、RSS記事表示部１２の右端にスクロールバー２５が表示されており、ユーザは、リモートコントローラ２に設けられる青色のボタン、赤色のボタンを押すことによって、RSS記事の一覧の表示範囲を上下方向にスクロールすることができる。
【００４３】
図３の例においては、「本日、Ｓ株式会社は、パーソナル．．．」のタイトルが設定されているRSS記事の情報の下に、一本の線を挟んで、「１０時１５分すぎ地震が発生しました。」のタイトルが表示されており、このように、上下方向に、それぞれのRSS記事の情報が続くことになる。「１０時１５分すぎ地震が発生しました。」のタイトルは、簡易モードの一覧において、「本日、Ｓ株式会社は、パーソナル．．．」のタイトルの下に一部が表示されていたタイトルである。
【００４４】
このように、例えば、それぞれのRSS記事に対しては、タイトルをRSS記事表示部１２の上の位置にあわせて表示させたときに、タイトルの一覧において１つ下のRSS記事のタイトルの１行目が表示されるような範囲が割り当てられる。
【００４５】
以上のようにしてRSS記事の一覧を表示させる情報処理装置１の処理についてはフローチャートを参照して後述する。
【００４６】
図４は、情報処理装置１のハードウエア構成例を示すブロック図である。
【００４７】
CPU(Central Processing Unit)３１は、ROM(Read Only Memory)３２に記憶されているプログラム、または、ハードディスク３８からRAM(Random Access Memory)３３にロードされたプログラムに従って各種の処理を実行する。RAM３３にはまた、CPU３１が各種の処理を実行する上において必要なデータなどが適宜記憶される。
【００４８】
CPU３１、ROM３２、およびRAM３３は、バス３４を介して相互に接続されている。このバス３４にはまた、入出力インタフェース３５も接続されている。
【００４９】
入出力インタフェース３５には、LCD(Liquid Crystal Display)などよりなるディスプレイ３６、スピーカ３７、ハードディスク３８、ネットワークを介して通信を行う通信部３９が接続されている。通信部３９は、インターネットを介して配信サーバにアクセスし、RSS記事情報を受信する。通信部３９により受信されたRSS記事情報は、入出力インタフェース３５を介してハードディスク３８に供給され、記録される。ハードディスク３８に記録されているRSS記事情報に基づいて、図２、図３に示されるようなRSS記事の一覧が表示される。
【００５０】
入出力インタフェース３５にはまた、USBホストコントローラ４０、テレビジョン放送受信部４２、およびドライブ４３も接続される。USBホストコントローラ４０は、USBデバイスとして接続されるリモートコントローラ受光部４１において受信された、リモートコントローラ２からの信号を受け付ける。
【００５１】
テレビジョン放送受信部４２は、テレビジョン放送波を受信する図示せぬアンテナからの信号を受信し、所定のチャンネルで放送されるテレビジョン番組のデータを取得する。テレビジョン放送受信部４２により取得されたテレビジョン番組のデータは、入出力インタフェース３５を介してディスプレイ３６に供給され、番組の表示に用いられたり、ハードディスク３８に供給され、記録されたりする。
【００５２】
ドライブ４３にはBlu-ray Disc（商標）、DVD(Digital Versatile Disc)などの光ディスクよりなるリムーバブルメディア４４が装着される。ドライブ４３によってリムーバブルメディア４４から読み出されたコンピュータプログラムが、必要に応じてハードディスク３８にインストールされる。
【００５３】
図５は、情報処理装置１の機能構成例を示すブロック図である。図５に示す機能部のうちの少なくとも一部は、図４のCPU３１により所定のプログラムが実行されることによって実現される。
【００５４】
図５に示されるように、情報処理装置１においてはRSS記事情報管理部５１、フォーマット変換部５２、および表示制御部５３が実現される。リモートコントローラ２からの信号に基づいてUSBホストコントローラ４０により受け付けられたユーザの操作を表す情報はRSS記事情報管理部５１と表示制御部５３に入力される。
【００５５】
RSS記事情報管理部５１は、ハードディスク３８に記録されているRSS記事情報を管理する。RSS記事情報には、はじまりの位置を表すタグである“<item>”と終わりの位置を表すタグである“</item>”が含まれており、そのタグで囲まれた範囲が１つのRSS記事として判断される。
【００５６】
この他に、RSS記事情報には、タイトルを表すタグ、画像を表すタグ、本文を表すタグ、リンク先のURLを表すタグも含まれている。タイトルを表すタグである“<title>”“</title>”で囲まれた範囲がRSS記事のタイトルとして判断され、画像を表すタグである“<image>”“</image>”で指定されたファイルが画像として判断される。画像には、表示位置を指定する情報も付加されている。本文を表すタグである“<description>”“</description>”で囲まれた範囲がRSS記事の本文として判断され、リンク先のURLを表すタグである“<link>”“</link>”で囲まれた範囲が、元の情報を表示するためのアクセス先を指定するURLとして判断される。
【００５７】
例えば、RSS記事の一覧を簡易モードで表示することがユーザにより指示された場合、RSS記事情報管理部５１は、ハードディスク３８からRSS記事情報を読み出し、読み出したRSS記事情報に含まれる、それぞれのRSS記事のタイトルの情報を表示制御部５３に出力する。
【００５８】
例えば、簡易モードで表示されているRSS記事の一覧から、所定のRSS記事を表示することが指示された場合、RSS記事情報管理部５１は、表示することが指示されたRSS記事の情報を表示制御部５３に出力する。
【００５９】
また、RSS記事情報管理部５１は、RSS記事の一覧が簡易モードで表示されている状態で、それを詳細モードで表示することがユーザにより指示された場合、RSS記事表示部１２に表示させるRSS記事の情報をフォーマット変換部５２に出力する。
【００６０】
フォーマット変換部５２は、RSS記事情報管理部５１から供給された情報に基づいてRSS記事のフォーマットを整形し、整形して得られたRSS記事の情報を表示制御部５３に出力する。例えば、フォーマット変換部５２は、それぞれのRSS記事について、あらかじめ定められた行数分のタイトル、あらかじめ定められた大きさの画像、あらかじめ定められた行数分の本文を表示するのに用いられる情報を、RSS記事情報管理部５１から供給された情報を変換することによって生成する。
【００６１】
上述したように、フォーマット変換部５２により、RSS記事の先頭に表示するものとして用意される縦方向の画素数が３２０画素より多い画像が、縦方向が３２０画素に収まるように縮小される。なお、画像の横方向は、縦方向の縮小に用いられた比率と同じ比率で縮小されるようにしてもよいし、縮小されずに、そのまま表示されるようにしてもよい。
【００６２】
表示制御部５３は、RSS記事情報管理部５１から供給されたタイトルを表示し、図２に示されるような簡易モードの一覧を表示させる。配信サイトの名前の情報なども、適宜、RSS記事情報管理部５１から供給される。表示制御部５３は、ユーザの操作に応じて、カーソルの表示位置を移動させるとともに、例えば、所定のRSS記事を表示することが指示された場合、RSS記事情報管理部５１から供給された情報に基づいて、RSS記事のタイトル、画像、本文をそれぞれ表示する。
【００６３】
また、表示制御部５３は、RSS記事の一覧を詳細モードで表示することが指示された場合、フォーマット変換部５２から供給された情報に基づいて、図３に示されるように、それぞれのRSS記事について、あらかじめ定められた行数分のタイトル、あらかじめ定められた大きさの画像、あらかじめ定められた行数分の本文を表示させる。
【００６４】
ここで、図６のフローチャートを参照して、RSS記事の一覧の表示を切り換える処理について説明する。
【００６５】
この処理は、例えば、リモートコントローラ２が操作され、RSS記事の一覧を表示することが指示されたときに開始される。RSS記事の一覧を表示することが指示されたとき、RSS記事情報に含まれる、それぞれのRSS記事のタイトルの情報がRSS記事情報管理部５１から表示制御部５３に供給される。
【００６６】
ステップＳ１において、表示制御部５３は、RSS記事情報管理部５１から供給されたタイトルを表示し、RSS記事の一覧を簡易モードで表示させる。
【００６７】
ステップＳ２において、RSS記事情報管理部５１は、RSS記事の一覧を詳細モードで表示することがユーザにより指示されたか否かを判定し、指示されたと判定するまで待機する。
【００６８】
ステップＳ２においてRSS記事の一覧を詳細モードで表示することが指示されたと判定された場合、ステップＳ３において、フォーマット変換部５２は、RSS記事情報管理部５１から供給された情報に基づいてRSS記事のフォーマットを整形し、整形して得られたRSS記事の情報を表示制御部５３に出力する。RSS記事の一覧を詳細モードで表示することが指示された場合、詳細表示するRSS記事の情報がRSS記事情報管理部５１からフォーマット変換部５２に供給されてくる。
【００６９】
ステップＳ４において、表示制御部５３は、フォーマット変換部５２により生成された情報に基づいて、それぞれのRSS記事について、あらかじめ定められた行数分のタイトル、あらかじめ定められた大きさの画像、あらかじめ定められた行数分の本文をRSS記事の一覧のRSS記事表示部１２に表示させる。これにより、図３に示されるような、見栄えがよく、ユーザにとって見やすいRSS記事の一覧が表示される。
【００７０】
以上においては、詳細モードで表示されるRSS記事の一覧には、それぞれのRSS記事について１つの画像だけが表示されるものとしたが、RSS記事に複数の画像が含まれる場合、所定の大きさに変換された画像が複数並べて表示されるようにしてもよい。
【００７１】
また、以上においては、縦方向の画素数が所定の画素数より多い画像を縮小してから表示する場合について説明したが、縦方向の画素数が所定の画素数より少ない画像が含まれる場合、その画像が縦方向の画素数を基準に拡大され、拡大された画像が表示されるようにしてもよい。これにより、全てのRSS記事について、同じ大きさの画像が表示されることになる。
【００７２】
以上においては、情報処理装置１が一般的なテレビジョン受像機と同様の形態を有するものとして説明したが、図７に示されるように、テレビジョン受像機とは別の筐体の機器として情報処理装置１が実現されるようにしてもよい。
【００７３】
図７の例においては、情報処理装置１にはケーブルを介してディスプレイ３６が接続されており、このディスプレイ３６の表示が、上述したようにして情報処理装置１により制御される。
【００７４】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００７５】
コンピュータ（CPU３１）が実行するプログラムは、例えば、光ディスクよりなるリムーバブルメディア４４に記録して、あるいは、ローカルエリアネットワーク、インターネット、デジタル衛星放送といった、有線または無線の伝送媒体を介して提供される。
【００７６】
そして、プログラムは、リムーバブルメディア４４をドライブ４３に装着することにより、入出力インタフェース３５を介して、ハードディスク３８にインストールすることができる。また、プログラムは、有線または無線の伝送媒体を介して、通信部３９で受信し、ハードディスク３８にインストールすることができる。その他、プログラムは、ROM３２やハードディスク３８に、あらかじめインストールしておくことができる。
【００７７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７８】
本発明の実施の形態は、上述した実施の形態に限定されるものではなく、本発明の要旨を逸脱しない範囲において種々の変更が可能である。
【図面の簡単な説明】
【００７９】
【図１】本発明の一実施形態に係る情報処理装置の例を示す図である。
【図２】RSS記事の一覧の例を示す図である。
【図３】RSS記事の一覧の他の例を示す図である。
【図４】情報処理装置のハードウエア構成例を示すブロック図である。
【図５】情報処理装置の機能構成例を示すブロック図である。
【図６】情報処理装置の表示切り換え処理について説明するフローチャートである。
【図７】情報処理装置の他の例を示す図である。
【符号の説明】
【００８０】
１  情報処理装置，  ２  リモートコントローラ，  ５１  RSS記事情報管理部，  ５２  フォーマット変換部，  ５３  表示制御部
【図１】
2008165692.tif 000003
【図２】
2008165692.tif 000004
【図３】
2008165692.tif 000005
【図４】
2008165692.tif 000006
【図５】
2008165692.tif 000007
【図６】
2008165692.tif 000008
【図７】
2008165692.tif 000009